(57)【特許請求の範囲】
【請求項１】
複数の内容の香りを発生させることができる香り発生手段と、
表示装置に表示される画像又は場面が「どのような画像か、又はどのような場面か」を示す情報に基づいて、又は、スピーカ又はイヤホンから出力される音が「どのような音か」を示す情報に基づいて、前記画像又は場面に適する香り、又は前記音に適する香り、を決定するための香り内容決定手段と、
前記香り内容決定手段からの情報に基づいて、前記香り発生手段を制御するための制御手段と、を備えたことを特徴とする芳香装置。
【請求項２】
複数の内容の香りを発生させることができる香り発生手段と、
「ユーザーの脈拍、心電図、血圧、及び、脳波の中の少なくとも一つ」を示す情報に基づいて、発生すべき香りの内容を決定するための香り内容決定手段と、
前記香り内容決定手段からの情報に基づいて、前記香り発生手段を制御するための制御手段と、を備えたことを特徴とする芳香装置。
【請求項３】
複数の内容の香りを発生させることができる香り発生手段と、
「所定の音声情報、音響情報、音楽情報などの音情報」に基づいて、発生すべき香りの内容を決定するための香り内容決定手段と、
前記香り内容決定手段からの情報に基づいて、前記香り発生手段を制御するための制御手段と、を備えたことを特徴とする芳香装置。
【請求項４】
複数の内容の香りを発生させることができる香り発生手段と、
所定の画像情報に基づいて、発生すべき香りの内容を決定するための香り内容決定手段と、
前記香り内容決定手段からの情報に基づいて、前記香り発生手段を制御するための制御手段と、を備えたことを特徴とする芳香装置。
【請求項５】
請求項２において、
「ユーザーの脈拍、心電図、血圧、及び、脳波の中の少なくとも一つ」を測定するための測定手段を備え、
前記香り内容決定手段は、前記測定手段により測定された情報に基づいて、前記香りの内容を決定するものである、ことを特徴とする芳香装置。
【請求項６】
請求項３において、
所定の音情報を入力するための音情報入力手段を備え、
前記香り内容決定手段は、前記音情報入力手段により入力された音情報に基づいて、前記香りの内容を決定するものである、ことを特徴とする芳香装置。
【請求項７】
請求項４において、
所定の画像情報を入力するための画像情報入力手段を備え、
前記香り内容決定手段は、前記画像情報入力手段により入力された画像情報に基づいて、前記香りの内容を決定するものである、ことを特徴とする芳香装置。
【請求項８】
請求項１から７までのいずれか一つにおいて、
リフレッシュしやすくなる香り、のんびりとリラックスしやすくなる香り、眠りに入りやすくなる香り、集中力が高まりやすくなる香り、海の香り、森の香り、火薬の香り、魚料理の香り、肉料理の香り、又は温泉の香りなどの複数の香りのいずれかをユーザーが指示するための香り指示手段と、
前記香り指示手段により指示された内容の香りを発生させるように前記香り発生手段を制御するための指示制御手段と、
を備えたことを特徴とする芳香装置。
【０００１】
【発明の詳細な説明】
【発明の属する技術分野】
本発明は、劇場や住宅などに設置するのに適した芳香装置又は個人が携帯するのに適した芳香装置に関する。
【０００２】
【従来の技術】
従来より、香水などの香りを発生させるものが女性などの間で利用されている。
【０００３】
【発明が解決しようとする課題】
しかしながら、任意の複数種類の香りをリアルタイムに放出できる装置は既に提案されているが、この香りをユーザーの前後左右上下のいずれかの少なくとも２つ以上の方向から同時に放出して、ユーザーに高い「臨場感」を与えるような製品は、まだ提案されていない。
本発明はこのような従来技術の課題に着目してなされたもので、香りをユーザーの前後左右上下のいずれかの少なくとも２つ以上の方向から同時に放出して、ユーザーに高い「臨場感」を与えることができる芳香装置を提供することを目的とする。また、本発明は、ユーザーに対して、音の内容、画像又は場面の内容、又は、ユーザーの血圧、脈拍、心電図、脳波などの内容に基づいて決定された内容の香りを放出することを可能にする芳香装置を提供することを目的とする。
【０００４】
【課題を解決するための手段】
以上のような課題を解決するための本発明による芳香装置は、次のようなものである。
Ａ．複数の内容の香りを発生させることができる香り発生手段と、表示装置に表示される画像又は場面が「どのような画像か（例えば、「悲しい画像」か「楽しい画像」か「のんびりした画像」か「緊迫した画像」か「激しく動く画像」か「スピード感のある画像」か、など）、又はどのような場面か（例えば、「海」の場面か、「山」の場面か、「都会の雑踏」の場面か、「レストラン」の場面か、「自動車の中」の場面か、「ピストルや大砲などによる戦闘」の場面か、など）」を示す情報に基づいて、又は、スピーカ又はイヤホンから出力される音が「どのような音か（例えば、「悲しい曲（声）」か「楽しい曲（声）」か「のんびりしたスローテンポの曲（声）」か「緊迫した感じの曲（声）」か「スピード感のある曲（声）」か、など）」を示す情報に基づいて、前記画像又は場面に適する内容の香り、又は前記音に適する内容の香り、を決定するための香り内容決定手段と、前記香り内容決定手段からの情報に基づいて、前記香り発生手段を制御するための制御手段と、を備えたことを特徴とする芳香装置。
Ａ−１．複数の内容の香りを発生させることができる香り発生手段と、所定の情報に基づいて発生すべき香りの内容を決定するための香り内容決定手段と、前記香り内容決定手段からの情報に基づいて前記香り発生手段を制御するための制御手段と、を備え、前記香り内容決定手段は、ユーザーの脈拍、心電図、血圧、及び脳波の中の少なくとも一つを示す情報に基づいて、前記香りの内容を決定するものである、ことを特徴とする芳香装置。
Ａ−２．上記Ａ−１において、ユーザーの脈拍、心電図、血圧、及び脳波の中の少なくとも一つを測定するための測定手段を備え、前記香り内容決定手段は、前記測定手段により測定された情報に基づいて、前記香りの内容を決定するものである、ことを特徴とする芳香装置（例えば、前記香り内容決定手段は、前記の測定された血圧の内容が通常より高いときは、血圧上昇を抑えられる「リラックスできる香り」を「これから発生させるのに望ましい内容の香り」だと決定する）。
Ｂ−１．複数の内容の香りを発生させることができる香り発生手段と、所定の情報に基づいて発生すべき香りの内容を決定するための香り内容決定手段と、前記香り内容決定手段からの情報に基づいて前記香り発生手段を制御するための制御手段と、を備え、前記香り内容決定手段は、所定の音声情報、音響情報、音楽情報などの音情報に基づいて、前記香りの内容を決定するものである、ことを特徴とする芳香装置。
Ｂ−２．上記Ｂ−１において、所定の音情報を入力するための音情報入力手段を備え、前記香り内容決定手段は、前記音情報入力手段により入力された音情報に基づいて、前記香りの内容を決定するものである、ことを特徴とする芳香装置（例えば、前記香り内容決定手段は、前記入力された音の内容が、「悲しい曲（声）」か、「楽しい曲（声）」か、「のんびりしたスローテンポの曲（声）」か、「緊迫した感じの曲（声）」か、又は「スピード感のある曲（声）」かなどに対応して、それぞれに適する内容の香りを決定する）。
Ｃ−１．複数の内容の香りを発生させることができる香り発生手段と、所定の情報に基づいて発生すべき香りの内容を決定するための香り内容決定手段と、前記香り内容決定手段からの情報に基づいて前記香り発生手段を制御するための制御手段と、を備え、前記香り内容決定手段は、所定の画像情報に基づいて、前記香りの内容を決定するものである、ことを特徴とする芳香装置。
Ｃ−２．上記Ｃ−１において、所定の画像情報を入力するための画像情報入力手段を備え、前記香り内容決定手段は、前記画像情報入力手段により入力された画像情報に基づいて、前記香りの内容を決定するものである、ことを特徴とする芳香装置（例えば、前記香り内容決定手段は、前記入力された画像情報が、「悲しい画像」か、「楽しい画像」か、「のんびりした画像」か、「緊迫した画像」か、「激しく動く画像」か、「スピード感のある画像」か、「海の場面の画像」か、「山の場面の画像」か、「都会の雑踏の場面の画像」か、「レストランの場面の画像」か、「自動車の中の場面の画像」か、「ピストルや大砲などによる戦闘の場面の画像」か、「魚料理の画像」か、「肉料理の画像」か、又は「温泉の画像」かなどに対応して、それぞれに適する内容の香り、又はそれぞれを示す内容の香りを、決定する）。
Ｄ．上記Ａ〜Ｃにおいて、リフレッシュしやすくなる香り、のんびりとリラックスしやすくなる香り、眠りに入りやすくなる香り、集中力が高まりやすくなる香り、海の香り、森の香り、火薬の香り、魚料理の香り、肉料理の香り、又は温泉の香りなどの複数の香りのいずれかをユーザーが指示するための香り指示手段と、前記香り指示手段により指示された内容の香りを発生させるように前記香り発生手段を制御するための指示制御手段と、を備えたことを特徴とする芳香装置。
また、本明細書の特許請求の範囲には記載していないが、次のような発明も本明細書に開示されている。
（１）ユーザーに対して所定の香りを放出する「香り放出部」が、ユーザーの鼻をほぼ中心にしてその左側、右側、前側、後ろ側、上側、又は下側の計６カ所の中のいずれかの少なくとも２カ所に、それぞれ配置されている、芳香装置である。
（２）上記（１）において、前記香り放出部は、複数種類の香料をそれぞれ収容する各収容部と、これらの各収容部の全部又は一部から、香料を所定量だけ取り出す取り出し手段と、前記取り出し手段に対して、前記各収容部の全部又は一部から所望の香料を所定量だけ取り出すように制御する制御手段と、前記の取り出し手段により取り出された各香料を混合させて所定の香りを新たに生成する混合手段と、を備えている、芳香装置である。
（３）上記（１）又は（２）において、前記香り放出部は、さらに、前記混合手段により生成された香りを、ユーザーの鼻の方向又はそれに近い方向に向かって放出する放出手段を含むものである、芳香装置である。
（４）上記（１）（２）（３）のいずれかにおいて、さらに、前記香り放出部をユーザーの鼻の周辺に支持するための頭部支持部（ヘルメット型又はマスク型などの）が備えられている、ことを特徴とする芳香装置である。
本発明において、前記の「香り放出部」「香り発生手段」は、複数種類の香料を調合して多数種類の香りを生成して放出させるもの、でもよいし、予め所定の香りを有する液体、固体又は気体から成る香り放出体を収納しておき必要なときに必要な量だけこの香り放出体から香りを放出させるもの、でもよい。また、本発明において、前記収容部は、各香料を、液体又は固体の状態で保存するものである。また、前記取り出し手段は、例えば、液体の香料を、加熱して膨張させることにより、前記各収容部から所定量だけ取り出すものである。また、前記取り出し手段は、例えば、固体の香料を、加熱又は振動により気化・膨張させることにより、所定量だけ取り出すものである。さらに、前記取り出し手段は、例えば、マイクロカプセルに封入された香料を、マイクロカプセルを所定量だけ擦って破壊させてその中の香料を放出させることにより、所定量だけ取り出すものである。
また、本発明において、前記の頭部支持部は、少なくとも前記混合手段又は放出手段を、ユーザーの鼻に対向する位置に配置するものであることがよい。
【０００６】
次に、図４は図１〜図３の芳香装置４の構成の一例を示す図である。図４において、１０は複数種類の香料を保存する保存部、１１ａ，１２ａ，１３ａは、複数種類（図４では３種類）の香料（液体性）、１１，１２，１３は、前記各香料１１ａ，１２ａ，１３ａをそれぞれ保存する保存容器で、これらの３つの保存容器１１，１２，１３により前記保存部１０を構成している。
また、前記各保存容器１１，１２，１３は、それぞれ、配管１１ｂ，１２ｂ，１３ｂを介して、各収容部２１，２２，２３に接続されている。前記各保存容器１１，１２，１３に保存された各香料（液体性）１１ａ，１２ａ，１３ａは、所定の圧力（この場合は重力など）により、前記配管１１ｂ，１２ｂ，１３ｂを介して、前記収容部２１，２２，２３にそれぞれ送られる。前記収容部２１，２２，２３は、密閉された容器となっており、この密閉された収容部２１，２２，２３内には、それぞれ各香料１１ａ，１２ａ，１３ａが満杯又はほぼ満杯に入れられている。また、前記各収容部２１，２２，２３と前記各保存容器１１，１２，１３との間の配管１１ｂ，１２ｂ，１３ｂには、図示していないが、各保存容器１１，１２，１３から各収容部２１，２２，２３の方向にのみ香料（液体）１１ａ，１２ａ，１３ａの移動を許し反対方向への移動を禁止するための弁が介設されている。
また、前記各収容部２１，２２，２３内には、それぞれ、超音波振動子３１，３２，３３が備えられている。これらの各超音波振動子３１，３２，３３は、各収容部２１，２２，２３内の各香料１１ａ，１２ａ，１３ａ内に沈められるように配置されている。また、これらの各超音波振動子３１，３２，３３は、前記制御装置６により、所望の時間だけ振動するようになっている。
前記各収容部２１，２２，２３内で前記各超音波振動子３１，３２，３３が振動すると、各香料１１ａ，１２ａ，１３ａが所定量だけ霧状の粒子となる。各香料１１ａ，１２ａ，１３ａが霧状の粒子になると、それだけ体積が膨張するため、霧状の粒子は、密閉空間である各収容部２１，２２，２３内の空間から、所定の圧力（前記の体積の膨張による圧力）をもって、図示の配管２１ａ，２２ａ，２３ａを介して混合部４０に送られる。前記の各収容部２１，２２，２３の全て又はいずれかからから送られる霧状の香料粒子は、混合部４０で混合されて、図示の放出部８ａから、ユーザーの鼻の方向へ放出される。この場合、前記混合部４０には、前述のように、各収容部２１，２２，２３から所定の圧力をもって霧状の粒子が混合部４０に送られるので、それらの圧力により、混合部４０で混合された香料の粒子も、放出部８ａから、ある程度の勢いをもって放出される。
【０００７】
なお、前記各収容部２１，２２，２３と前記混合部４０との間の各配管２１ａ，２２ａ，２３ａにも、図示してはいないが、霧状の香料粒子の移動を、収容部から混合部の方向にのみ許し反対方向への移動は禁止するための弁が介設されている。また、図４の各収容部２１，２２，２３と各超音波振動子３１，３２，３３とで、図３の収納・取り出し部９ａを構成している。
以上のように、この実施形態１によれば、３種類の香料の全部又は一部を所定量ずつ混合させて、所望の香りを生成することが可能になる。例えば、３種類の香料１１ａ，１２ａ，１３ａを、それぞれ、１：１：１の割合で混合する場合、１：２：１の割合で混合する場合、１：２：３の割合で混合する場合、０：１：１の割合で混合する場合、０：１：２の割合で混合する場合、などの極めて多数の調合の組合せが可能になる。また、この実施形態１では３種類のみの香料を使用しているが、本発明では１０種類以上の香料を使用することも可能であり、この１０種類以上の香料を所定量ずつ調合すれば、極めて多数の多様な香りをその場でリアルタイムに生成できるようになる。
なお、図４において、９は操作盤で、ユーザーから図４の頭部携帯型情報提供装置への指令はこの操作盤９を介して行われる。例えば、前記ＣＤ−ＲＯＭ装置５から呼び出してプレイするゲームソフト、映画ソフト、又はカラオケ曲などの選択や、ゲームソフトの操作などは、ユーザーがこの操作盤９により行う。また、ユーザーは、発生させたい香りを指定して、発生するように支持することもできる。例えば、ユーザーは、操作盤９を操作して、「リラックスできる香り」「リフレッシュできる香り」「眠りたくなる香り」のいずれかを選択して、その香りを発生するように、頭部携帯型情報提供装置に指示することかできる。
【０００８】
実施形態２．
次に、本発明の実施形態２を図５に基づいて説明する。この実施形態２は、実施形態１とほぼ同様の構成であるが、各収納部２１，２２，２３内の各香料１１ａ，１２ａ，１３ａ内には、前記の超音波振動子３１，３２，３３ではなく、超小型のヒーター（電熱器）５１，５２，５３を備えるようにしている。また、この実施形態２では、実施形態１と同様に、前記各収納部２１，２２，２３は密閉された空間となっており、また、前記配管１１ｂ，１２ｂ，１３ｂには、保存容器１１，１２，１３から収納部２１，２２，２３への移動のみを許し反対方向の移動を禁止するための弁が介設されている。また図５に示すように、混合部５５内には、その底部に、超音波振動子５４が備えられている。
この実施形態２では、前記の超小型ヒーター５１，５２，５３の全部又はいずれかを所定時間だけ加熱すると、前記各収納部２１，２２，２３内の各香料（液体）が所定量だけ熱膨張して、各収納部から外部に、勢いよく噴出する（いわば、水鉄砲の要領で噴出する）。つまり、この場合、各香料は、各収納部２１，２２，２３から、それぞれ、前記配管２１ａ，２２ａ，２３ａを介して、所定量だけ混合部５５に送られる。
この実施形態２では、制御装置６は、所定の調合データに基づいて、前記各ヒーター５１，５２，５３が駆動するように制御する。また、制御装置６は、各香料が前述のようにして収納部２１，２２，２３から混合部５５に送られた後は、前記超音波振動子５４を駆動するように制御する。超音波振動子５４が振動すると、混合部５５内で互いに混合された香料は、霧状の粒子となる。その結果、香料全体の体積が膨張するので、前記の霧状の粒子は、所定の圧力をもって、勢いよく、放出部５８から放出される。
以上のように、この実施形態２では、超小型ヒーター５１，５２，５３を使用して、香料を熱膨張させて各収納部２１，２２，２３から香料を噴出させ、この噴出した香料を混合させて所望の香りを生成している。このような構成の中の、前記超小型ヒーターで香料を熱膨張させて噴出させる構成は、従来のバブルジェット・プリンタの駆動機構とほぼ同様である。よって、この実施形態２は、このバブルジェット・プリンタの部品などを流用して低コストで製造することが可能である。
【０００９】
実施形態３．
次に、本発明の実施形態３を説明する。この実施形態３は、インク・ジェット式プリンタの構成を芳香装置に流用するものである。すなわち、予め、複数種類の香料（液体）を、インク・ジェット式プリンタに使用されるインク・ヘッドに類似したインク・ヘッド状容器に収納しておき、この収納された香料（液体）を、制御装置により制御される水晶発振器の作用によって霧状の粒子とし、この霧状の粒子に電荷を与えて電気的にコントロールできるようにする。そして、制御装置により電界を印加し、この印加された電界の作用によって前記粒子となった香料を前記インク・ヘッド状容器から、混合部に発射させるようにする。発射された粒子状の香料は、混合部で混合され、ユーザーの方へ放出される。なお、前記のインク・ヘッド状容器からの香料の発射量は、前記水晶発振器の駆動時間や駆動電圧・駆動電力などにより制御できる。
以上のように、この実施形態３では、従来のインク・ジェット式プリンタでインクを所定量だけ発射させる構成を流用して、香料を所定量だけ混合部の方へ送るようにしている。つまり、従来のカラー・インク・ジェット式プリンタでは、３原色であるＲ，Ｇ，Ｂのインクの全部又はいずれかを所定量だけ紙に吹き付けることにより所望の色合いを印刷するようにしているが、これと同じ制御を行うことにより、３つの（この実施形態３では３つの種類の香料であるが４種類以上でもよい）香料の全部又はいずれかを所定量だけ取り出して混合することにより、所望の香りを生成することができる。この実施形態３においても、従来のインク・ジェット式プリンタの部品などを流用して、低コストで製造することが可能になる。
【００１０】
実施形態４．
次に、図６を参照して本発明の実施形態４を説明する。図６において、６１，６２，６３はそれぞれ密閉された容器、６４は所定の香料の微小な粒子を封入したマイクロカプセル、６５，６６，６７は前記マイクロカプセル６４を多数配置したシートである。前記各シート６５，６６，６７には、それぞれ、別の種類の香料を封入したマイクロカプセル６４が配置されている。つまり、シート６５にはある種類の香料の粒子を封入したマイクロカプセル６４が多数配置され、別のシート６６には別の種類の香料の粒子を封入したマイクロカプセル６４が多数配置され、さらに別のシート６７にはさらに別の種類の香料の粒子を封入したマイクロカプセル６４が多数配置されている。また、これらの各シート６５，６６，６７と対向する位置には、それぞれ、圧電素子を含む振動板６８，６９，７０が、前記各シート６５，６６，６７と軽く接触するように配置されている。これらの各振動板６８，６９，７０は、制御装置６により制御されるようになっている。
また、前記各密閉容器６１，６２，６３からは、各配管６１ａ，６２ａ，６３ａを介して、混合部７１へ香料粒子を送れるようになっている。これらの各配管６１ａ，６２ａ，６３ａには、図示していないが、各密閉容器６１，６２，６３から混合部７１への方向にのみ香料粒子の移動を許し反対の方向には移動を禁止するための弁が介設されている。また前記混合部７１も密閉された容器になっている。混合部７１には、図示しないエアー・ポンプが備えられており、このエアー・ポンプにより、混合部７１内の空気を放出部７２から外部に送り出せるようになっている。
【００１１】
次にこの実施形態４の動作を説明する。ＣＤ−ＲＯＭ装置５からの信号及びユーザーの操作盤９を通しての指令に基づいて、制御装置６が今から所定の香りを発生させようとするときは、制御装置６は、ＣＤ−ＲＯＭ装置５から調合データを取り出して、それに基づいて、前記各シート６５，６６，６７のいずれかの香料を取り出すかを決定する。その決定に基づいて、制御装置６が例えばシート６５に配置されたマイクロカプセル６４から香料を取り出しそうとするときは、前記振動板６８を制御して所定時間だけ振動させる。この場合の振動時間は、前記香料をマイクロカプセル６４から取り出したい量に応じて決定される。前記振動板６８が振動すると、前記の多数のマイクロカプセル６４の一部が破壊されて、その中から香料の粒子が放出される。これらの放出された香料粒子は、前記の混合部７１に備えられたエアー・ポンプにより吸い上げられ、混合部７１内に送られる。混合部７１内では、このようにして前記各シート６５，６６，６７の各マイクロカプセル６４から放出され吸い上げられた香料粒子が互いに混合され、前記エアー・ポンプにより、放出部７２からユーザーの方向へ放出される。なお、前記マイクロカプセル６４を配置したシート６５，６６，６７は、使用回数が定められており、所定の使用回数を過ぎると交換するようになっている。
【００１２】
実施形態５．
次に本発明の実施形態５を図７に基づいて説明する。この実施形態５は、図１〜図４に基づいて説明した実施形態１とほぼ同様の構成であるが、図４の混合部４０が存在しない点で、実施形態１と異なっている。つまり、この実施形態５では、各収納部２１，２２，２３からの香料を混合させる混合部は存在せず、各収納部２１，２２，２３からの香料の粒子（超音波振動子３１，３２，３３により微小な粒子となって空気中を浮遊する香料の粒子）は、直接に、ユーザーの方へ放出される。その結果、前記各収納部２１，２２，２３からの香料の粒子は、ユーザーの近傍の空間で、自然に、互いに混合されることになる。この実施形態５のように、混合部がない場合でも、前記の各香料が互いに所定の割合で混合された香りがユーザーに与えられるようになるので、実施形態１のような混合部４０がなくても特に不都合はない。
【００１３】
実施形態６．
次に、本発明の実施形態６を図８に基づいて説明する。実施形態６は、図１〜図４に基づいて説明した実施形態１とほぼ同様の構成であるが、香料の取り出し部（図４の超音波振動子３１，３２，３３）を制御するための制御装置の内容が実施形態１とは異なっている。すなわち、この実施形態６の制御装置では、図８に示すように、音声信号（ここでの「音声信号」は、音声信号、音響信号、音楽信号などを含む意味で使用している）を解析する音声信号解析部８１と、画像信号を解析する画像信号解析部８２と、これらの各解析部８１，８２からの信号に基づいて、香料取り出し部を構成する超音波振動子３１，３２，３３（図４参照）を制御する超音波振動子制御部８３と、から構成されている。
前記音声信号解析部８１には、ＣＤ−ＲＯＭ装置５から直接に音声信号が入力されてもよいし、前記スピーカ又はイヤホン３（図１参照）から音声信号が入力されるようにしてもよい。また、前記画像信号解析部８２には、ＣＤ−ＲＯＭ装置５から直接に画像信号が入力されてもよいし、前記ＬＣＤ２（図１参照）から画像信号が入力されるようにしてもよい。いずれにせよ、前記音声信号解析部８１は、入力された音声信号を解析して、それがどのような音声か（例えば、「悲しい曲（声）」か「楽しい曲（声）」か「のんびりしたスローテンポの曲（声）」か「緊迫した感じの曲（声）」か「スピード感のある曲（声）」か、など）を解析し、それを示す信号を前記制御部８３に送る。また、前記画像信号解析部８２は、入力された画像信号を解析して、それがどのような画像か（例えば、「悲しい画像」か「楽しい画像」か「のんびりした画像」か「緊迫した画像」か「激しく動く画像」か「スピード感のある画像」か、など）を判定し、それを示す信号を前記制御部８３に送る。また、前記画像信号解析部８２は、入力された画像信号を解析して、それがどのような場面の画像か（例えば、「海」の場面か、「山」の場面か、「都会の雑踏」の場面か、「レストラン」の場面か、「自動車の中」の場面か、「ピストルや大砲などによる戦闘」の場面か、など）をも判定し、それを示す信号を前記制御部８３に送る。
【００１４】
前記超音波振動子制御部８３では、前記の送られて来た解析信号に基づいて、前記の音声又は画像に適した香りはどのようなものかを判定し、その結果に基づいて発生すべき香りを選択する。そして、この選択された香りを発生させるための香料の調合データ（香料の種類とその混合割合）を選定する。そして、この選定された調合データに基づいて、前記超音波振動子３１，３２，３３（図４参照）の振動の有無及び振動時間等を決定し、そのための制御信号を出力する。例えば、前記音声信号解析部８１からの解析信号が「のんびりした曲（声）」ということを示す解析信号で、また前記画像信号解析部８２からの解析信号が「のんびりした画像」ということを示す解析信号であるときは、前記制御部８３は、これらの音声及び画像に適した香りは、「のんびりした場面に適した香り、リラックスできる香り」であると判定し、それに適合した香りとその調合データを選定する。そして、この調合データに基づいて、前記超音波振動子３１，３２，３３への制御信号を出力する。
【００１５】
また、前記制御部８３は、前記画像信号解析部８２からの解析信号が、「海」の場面であることを示す信号であれば、その画像に適した香りは「海の香り」であると判定し、その海の香りを示す調合データに基づいて、前記前記超音波振動子３１，３２，３３を制御する。前記制御部８３は、前記画像信号解析部８２からの解析信号が、「ピストルや大砲などによる戦闘」の場面を示すものであれば、その場面に適した香りは「ピストルや大砲の火薬の匂い」であると判定し、その「火薬の匂い」を示す調合データに基づいて、前記超音波振動子３１，３２，３３を制御する。また、前記画像信号解析部８２が、現在表示されている画像は、「魚料理」「肉料理」又は「温泉」の画像であると判断したときは、そのことを示す解析信号が前記制御部に送られる。そして、制御部は、「魚料理の匂い」「肉料理の匂い」又は「温泉の匂い」を発生させるための調合データをＣＤ−ＲＯＭ装置５又は通信ネットワーク上のサーバー（コンピュータ）から取り寄せて、この調合データに基づいて、前記超音波振動子の振動を制御する。
また、この実施形態６では、前記画像解析部８２は、前記ＬＣＤ２に表示された画像のＲ，Ｇ，Ｂの３原色の表示の割合を解析し、それを示す解析信号を制御部８３荷送り、制御部８３では、その解析信号に示された３原色の表示の割合に基づいて、「望ましい香り」を選定するようにしてもよい。例えば、現在のカラーＬＣＤ２の表示画面の全体で表示されているＲ，Ｇ，Ｂの３原色の割合が、Ｒ：Ｇ：Ｂ＝１：２：３のときは、「Ｂ」のブルーの色が多いので、「ブルーの色が有する爽やかな感じのある香り」を選定するようにする。また、例えば、現在のカラーＬＣＤ２の表示画面の全体で表示されているＲ，Ｇ，Ｂの３原色の割合が、Ｒ：Ｇ：Ｂ＝１：５：２のときは、「Ｇ」のグリーンの色が多いので、「グリーンの色が有するリラックスした感じのある香り」を選定するようにする。
【００１６】
実施形態７．
次に、本発明の実施形態７を図９に基づいて説明する。実施形態７は、図１〜図４に基づいて説明した実施形態１とほぼ同様の構成であるが、香料の取り出し部（図４の超音波振動子３１，３２，３３）を制御するための制御装置の内容が実施形態１とは異なっている。すなわち、この実施形態７の制御装置では、図９に示すように、ユーザーが好みの香り（例えば、「リラックスできる香り」「眠りたくなる香り」「集中力が高まる香り」など）を指定するユーザー指定部１０１と、ユーザーの脈拍数を測定する脈拍センサ１０２と、ユーザーの心電図を測定するための心電センサ１０３と、ユーザーの血圧を測定するための血圧センサ１０４と、ユーザーの脳波を測定するための脳波センサ１０５と、が備えられて、これらのユーザー指定部１０１と各センサ１０２〜１０５からの信号が、超音波振動子制御部１０６に出力されるようになっている。
超音波振動子制御部１０６では、前記のユーザー指定部１０１と各センサ１０２〜１０５からの信号に基づいて、今発生させるのに適した香りを決定し、その決定した香りを作るための調合データを前記ＣＤ−ＲＯＭ装置５から取り出して、この調合データに基づいて、前記超音波振動子３１，３２，３３（図４参照）の制御データを決定する。例えば、ユーザーがユーザー指定部１０１（実際は操作盤９のキーボード又はマウスなどのポインティングデバイスで指定する）で「集中力が高まる香り」を指定した場合でも、血圧センサ１０４からの信号で「現在は血圧が平均より高い」ことを示す信号が入力されていれば、ユーザーからの指定による「集中力が高まる香り」と血圧上昇を抑える「リラックスできる香り」とを適当にミックスした香りを、「これから発生させる香り」と選定し、そのための調合データを決定し、これに基づいて前記超音波振動子３１，３２，３３を制御する。ここでは、血圧センサ１０４からの信号に基づいて望ましい香りを決定する例を示したが、ユーザーからの指定に加えて、血圧センサ１０４、脈拍センサ１０２、心電センサ１０３、及び脳波センサ１０５からの信号をも総合的に考慮しながら、「望ましい香り」を決定するのがよい。
【００１７】
実施形態８．
次に、図１〜３及び図１０を参照して本発明の実施形態８を説明する。この実施形態８では、図１〜３に示すように、芳香装置２が、ユーザーの顔の前面に対向するように、頭部支持部１により、支持されている。
また、この実施形態８では、芳香装置２の構成は、図１０に示すようになっている。すなわち、所定の香料を調合して作成された香水の保存部９０として、３つの密閉された保存容器９１，９２，９３が備えられている。これらの保存容器９１，９２，９３には、それぞれ、「リフレッシュできる香りの香水」９１ａ、「リラックスできる香りの香水」９２ａ、「眠りたくなる香りの香水」９３ａが収容されている。前記各保存容器９１，９２，９３は、配管９１ｂ，９２ｂ，９３ｂを介して、密閉された収納容器９４，９５，９６に接続されている。前記各保存容器９１，９２，９３内の香水９１ａ，９２ａ，９３ａは、前記配管９１ｂ，９２ｂ，９３ｂを介して、前記収納容器９４，９５，９６に送られている。この収納容器９４，９５，９６内では、各香水９１ａ，９２ａ，９３ａはほぼ満杯に満たされている。
前記各収納容器９４，９５，９６内には、超音波振動子９７，９８，９９が各香水の中に沈められている。これらの各超音波振動子９７，９８，９９は、制御装置６からの制御信号により、その中のいずれか一つ、例えば超音波振動子９７が、所定時間だけ振動させられる。すると、その超音波振動子９７の振動により、収容容器９４内の香水９１ａの一部が霧状の粒子に変わる。この香水９１ａが霧状になった粒子は、気体としてその体積が膨張するので、収容容器９４から、所定の圧力をもって、外部に出ようとする。そこで、この霧状粒子は、前記収容容器９４から配管９４ａを通って、所定の圧力をもって、勢いよく外部へ放出される。
なお、この場合、前記香水９１ａの霧状粒子への変換量、よって香水９１ａのユーザーへの放出量は、前記制御装置６で前記超音波振動子９７の振動時間を制御することにより、自由に調整できる。
【００１８】
以上、実施形態１〜８について説明してきたが、本発明はこれに限られるものではなく、例えば次のようなものもその範囲に含んでいる。
例えば、以上の実施形態１〜８では、芳香装置２をユーザーの顔の前面に対向させるための頭部支持部１として、ヘルメット（帽子）型のものを使用しているが、本発明ではこれに限られるものではなく、例えばマスク型の頭部支持部でもよい。
また、以上の実施形態１〜８では、ユーザーが頭部に支持して携帯する芳香装置を示しているが、本発明はこれに限られるものではなく、家庭のリビングルームなどに備え付ける卓上型のものでもよい。また、映画館や劇場に備え付ける大型のものでもよい。特に、映画館や劇場の観客スペースの前後左右の４カ所に、芳香装置を備えるようにすれば、映画や劇の場面に応じた香りを、観客の前後左右のいずれかから放出できるようになるので、観客に対して、映画や劇により臨場感を持たせられるようになる。
また、以上の実施形態１〜８では、保存容器内には液体性の香料を保存しておき、それを収納部に送って収納しておくようにしているが、本発明はこれに限られるものではなく、例えば、保存容器内には固形の香料を保存しておき、この固形の香料から発生する匂い成分（香料の微小粒子）を収納部に送って収納しておくようにしてもよい。
また、以上の実施形態１〜７では、３種類の香料を調合して多数種類の香りを生成するようにしているが、本発明では、１０種類以上の香料を保存部に保存し、かつ収納容器に収納して、それらを調合するようにしてもよい。
また以上の各実施形態１〜７では、いずれも、香り発生部として、複数種類の香料を調合して多数種類の香りを生成するものを使用しているが、本発明における「香り発生部」はこれに限られるものではなく、予め所定の香りを有する液体、固体又は気体から成る香り放出体を収納しておき、必要なときに必要な量だけこの香り放出体から香りを放出させるもの、を使用してもよいことはもちろんである。
【００１９】
【発明の効果】
（１）本発明によれば、ユーザーに対して、音の内容、画像又は場面の内容、又は、ユーザーの血圧、脈拍、心電図、脳波などの内容に基づいて決定された内容の香りを放出することが可能になる。また、本発明によれば、少なくとも前記取り出し手段、前記混合手段又は前記放出手段などから成る香り放出部を、ユーザーの鼻をほぼ中心としてその右側、左側、前側、後ろ側、上側、又は下側の計６カ所の中の少なくとも２カ所に、それぞれ配置するようにすることにより、ユーザーは、多方向から香りが発生しているように感じられるので、ゲームや映画をみている最中に多方向からの香りを発生させて臨場感を高めることが可能になる。
（２）複数種類の香料をそれぞれ収納しておき、これらの各収容部から、選択された香料をそれぞれ所定量だけ取り出すようにしているので、ユーザー又はその近傍に向かって前記香料を取り出すようにすることにより、ユーザー又はその近傍で、それらの取り出した香料が混合させて新しい香りが生成されるようになる。よって、香料の任意の調合データに基づいて調合して、極めて多種類の香りをリアルタイムに生成することができるようになる。
（３）さらに、前記の取り出し手段により取り出された各香料を混合させて所定の香りを生成するようにしているので、ユーザーに、その直前に新たに生成した香りをリアルタイムに届けることが可能になる。
（４）さらに、前記混合手段により生成された香りを、ユーザーの顔の方向に向かって放出するようにすれば、少量の香料を混合したものでも、ユーザーに有効にその香りを感じさせることができるようになる。
（６）さらに、前記各収容部、取り出し手段及び混合手段をユーザーの頭部に支持するようにしているので、個人が芳香装置を容易に携帯できるようになる。
（７）所定の香りを発生する香り発生部をユーザーの鼻の周辺に支持するための頭部支持部を含むことにより、ユーザーは、多数の香りを発生させる芳香装置を外出中でも携帯して利用できるようになる。
【図面の簡単な説明】
【図１】  本発明の実施形態１による芳香装置を含む頭部携帯型情報提供装置を示す概略図である。
【図２】  図１の頭部携帯型情報提供装置の電気的構成を示す概略図である。
【図３】  図１の芳香装置と頭部支持部との関係を示す図である。
【図４】  図１に示す本発明の実施形態１の芳香装置を示す図である。
【図５】  本発明の実施形態２の芳香装置を示す図である。
【図６】  本発明の実施形態４の芳香装置を示す図である。
【図７】  本発明の実施形態５の芳香装置を示す図である。
【図８】  本発明の実施形態６の芳香装置を示す図である。
【図９】  本発明の実施形態７の芳香装置を示す図である。
【図１０】  本発明の実施形態８の芳香装置を示す図である。
【符号の説明】
１  頭部支持部．  ２  芳香装置．  ３  スピーカ（又はイヤホン）．
４  液晶表示装置（ＬＣＤ）．  ５  ＣＤ−ＲＯＭ装置．  ６  制御装置．
７  サーバー．  ９  操作盤
【図１】
0003779987.tif 000002
【図２】
0003779987.tif 000003
【図３】
0003779987.tif 000004
【図４】
0003779987.tif 000005
【図５】
0003779987.tif 000006
【図６】
0003779987.tif 000007
【図７】
0003779987.tif 000008
【図８】
0003779987.tif 000009
【図９】
0003779987.tif 000010
【図１０】
0003779987.tif 000011